【手続補正書】
【提出日】平成28年3月25日(2016.3.25)
【手続補正１】
【補正対象書類名】明細書
【補正対象項目名】発明の名称
【補正方法】変更
【補正の内容】
【発明の名称】スプリンクラ消火設備及び気水分離排水装置
【手続補正２】
【補正対象書類名】明細書
【補正対象項目名】０００１
【補正方法】変更
【補正の内容】
【０００１】
本発明は、スプリンクラ消火設備及び気水分離排水装置に関し、特に予作動弁の二次側配管を負圧としたスプリンクラ消火設備及び該スプリンクラ消火設備に用いられる気水分離排水装置に関する。
【手続補正３】
【補正対象書類名】明細書
【補正対象項目名】０００７
【補正方法】変更
【補正の内容】
【０００７】
本発明は、上述のような課題を解決するためになされたものであり、二次側配管から真空ポンプに向かう配管に水が流入しても真空ポンプに水が流入することを防止できるスプリンクラ消火設備及び気水分離排水装置を得ることを目的とする。
【手続補正４】
【補正対象書類名】明細書
【補正対象項目名】０００８
【補正方法】変更
【補正の内容】
【０００８】
本発明に係るスプリンクラ消火設備は、加圧送水装置と、予作動弁と、該予作動弁の一次側に設けられて基端側に加圧送水装置が接続される一次側配管と、前記予作動弁の二次側に設けられてスプリンクラヘッドが接続される二次側配管と、該二次側配管内を常時は負圧にする真空ポンプと、前記二次側配管と前記真空ポンプとを接続する真空配管と、を備えるスプリンクラ消火設備において、前記真空配管は、前記二次側配管に接続された第１の真空配管と、前記真空ポンプに接続された第２の真空配管と、で構成され、前記第１の真空配管と前記第２の真空配管との間には、気水分離排水装置が設けられており、該気水分離排水装置は、上端部に排気口が設けられ、下端部に排水口が設けられ、内部空間に流入口が設けられた耐圧外殻を有する第１のタンクと、上端部に排気口が設けられ、下端部に排水口が設けられ、内部空間に流入口が設けられた耐圧外殻を有し、前記第１のタンクよりも下方に設けられた第２のタンクと、非排水時には、前記第２のタンクの流入口及び前記第１のタンクと前記第１の真空配管とを連通させ、排水時には、前記第１のタンクの流入口と前記第１の真空配管とを連通させて、前記第２のタンクの流入口と前記第１の真空配管との間の流路を遮断する排水時流入路選択手段と、非排水時には、前記第２のタンクの排気口及び前記第１のタンクの排気口と前記第２の真空配管とを連通させ、排水時には、前記第１のタンクの排気口と前記第２の真空配管とを連通させて、前記第２のタンクの排気口と前記第２の真空配管との間の流路を遮断する排水時排気路選択手段と、一端が外気に開口し他端が前記第２のタンクの排気口に接続された吸気管に設けられ、常閉で排水時に開状態となる吸気弁と、一端が前記第２のタンクの排水口に接続され、他端が前記第２のタンクの排水口よりも下方に開口した排出口に接続された排水管に設けられ、常閉で排水時に開状態となる排水弁と、を備え、非排水時、前記第１の真空配管から流入した水を前記第２のタンクに貯留し、前記第２の真空配管へ該水が流入することを防止し、排水時、前記排水時流入路選択手段及び前記排水時排気路選択手段によって前記真空配管と前記第２のタンクとの間の流路を遮断し、前記吸気弁を開いて前記第２のタンク内を大気圧とした後に、前記排水弁を開いて前記第２のタンクに貯留された水を排出すると共に、前記真空配管と前記第１のタンクとの連通を維持し、該第１のタンクで前記第１の真空配管から流入した水を貯留し、前記第２の真空配管へ該水が流入することを防止するものである。
【手続補正５】
【補正対象書類名】明細書
【補正対象項目名】００１３
【補正方法】変更
【補正の内容】
【００１３】
また、本発明に係る気水分離排水装置は、加圧送水装置と、予作動弁と、該予作動弁の一次側に設けられて基端側に加圧送水装置が接続される一次側配管と、前記予作動弁の二次側に設けられてスプリンクラヘッドが接続される二次側配管と、該二次側配管内を常時は負圧にする真空ポンプと、前記二次側配管と前記真空ポンプとを接続する真空配管と、を備えるスプリンクラ消火設備において、前記二次側配管に接続された第１の真空配管と前記真空ポンプに接続された第２の真空配管との間であって、前記真空配管に介在するように設けられた気水分離排水装置であって、耐圧外殻を有し、上端部に排気口が、下端部に排水口が、内部空間に流入口が、それぞれ設けられた２つのタンクを備え、２つの前記タンクは、少なくとも一方は、前記流入口が前記第１の真空配管と、前記排気口が前記第２の真空配管と、それぞれ連通を維持するように流路が制御され、非排水時は、互いに連通するように制御され、排水時は、排水する前記タンクを、他方の前記タンク、前記第１の真空配管及び前記第２の真空配管と遮断するとともに、排水する当該タンクの前記排気口を外気に開放して内部を大気圧とした後に、排水する当該タンクの前記排水口を開放して内部に貯留された水を排出するように制御され、前記第１の真空配管から流入した水を貯留して前記第２の真空配管に水が入らないようにするとともに、貯留した水を排出するものである。
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００２２
【補正方法】変更
【補正の内容】
【００２２】
また、本発明に係る気水分離排水装置においては、２つのタンクは、少なくとも一方は、流入口が第１の真空配管と、排気口が第２の真空配管と、それぞれ連通を維持するように流路が制御され、非排水時は、互いに連通するように制御され、排水時は、排水するタンクを、他方のタンク、第１の真空配管及び第２の真空配管と遮断するとともに、排水する当該タンクの排気口を外気に開放して内部を大気圧とした後に、排水する当該タンクの排水口を開放して内部に貯留された水を排出するように制御され、第１の真空配管から流入した水を貯留して第２の真空配管に水が入らないようにするとともに、貯留した水を排出する。このため、本発明に係る気水分離排水装置は、真空配管に水が流入してもタンクに該水を貯留できるので、真空ポンプに水が流入することはなく、真空ポンプが過負荷となることがない。また、本発明に係る気水分離排水装置は、二次側配管及び真空配管の負圧を維持したまま、真空配管に流入してタンクに貯留した水を排出することができるという効果も得られる。また、本発明に係る気水分離排水装置は、停電や故障によって真空ポンプを運転できなくなっても、タンクによって一定時間は負圧を維持することができるという効果も得られる。
【手続補正１０】
【補正対象書類名】明細書
【補正対象項目名】００２３
【補正方法】削除
【補正の内容】
【手続補正１１】
【補正対象書類名】明細書
【補正対象項目名】００２４
【補正方法】削除
【補正の内容】
【手続補正１２】
【補正対象書類名】特許請求の範囲
【補正対象項目名】全文
【補正方法】変更
【補正の内容】
【特許請求の範囲】
【請求項１】
加圧送水装置と、予作動弁と、該予作動弁の一次側に設けられて基端側に加圧送水装置が接続される一次側配管と、前記予作動弁の二次側に設けられてスプリンクラヘッドが接続される二次側配管と、該二次側配管内を常時は負圧にする真空ポンプと、前記二次側配管と前記真空ポンプとを接続する真空配管と、を備えるスプリンクラ消火設備において、
前記真空配管は、前記二次側配管に接続された第１の真空配管と、前記真空ポンプに接続された第２の真空配管と、で構成され、
前記第１の真空配管と前記第２の真空配管との間には、気水分離排水装置が設けられており、
該気水分離排水装置は、
上端部に排気口が設けられ、下端部に排水口が設けられ、内部空間に流入口が設けられた耐圧外殻を有する第１のタンクと、
上端部に排気口が設けられ、下端部に排水口が設けられ、内部空間に流入口が設けられた耐圧外殻を有し、前記第１のタンクよりも下方に設けられた第２のタンクと、
非排水時には、前記第２のタンクの流入口及び前記第１のタンクと前記第１の真空配管とを連通させ、排水時には、前記第１のタンクの流入口と前記第１の真空配管とを連通させて、前記第２のタンクの流入口と前記第１の真空配管との間の流路を遮断する排水時流入路選択手段と、
非排水時には、前記第２のタンクの排気口及び前記第１のタンクの排気口と前記第２の真空配管とを連通させ、排水時には、前記第１のタンクの排気口と前記第２の真空配管とを連通させて、前記第２のタンクの排気口と前記第２の真空配管との間の流路を遮断する排水時排気路選択手段と、
一端が外気に開口し他端が前記第２のタンクの排気口に接続された吸気管に設けられ、常閉で排水時に開状態となる吸気弁と、
一端が前記第２のタンクの排水口に接続され、他端が前記第２のタンクの排水口よりも下方に開口した排出口に接続された排水管に設けられ、常閉で排水時に開状態となる排水弁と、
を備え、
非排水時、前記第１の真空配管から流入した水を前記第２のタンクに貯留し、前記第２の真空配管へ該水が流入することを防止し、
排水時、
前記排水時流入路選択手段及び前記排水時排気路選択手段によって前記真空配管と前記第２のタンクとの間の流路を遮断し、前記吸気弁を開いて前記第２のタンク内を大気圧とした後に、前記排水弁を開いて前記第２のタンクに貯留された水を排出すると共に、
前記真空配管と前記第１のタンクとの連通を維持し、該第１のタンクで前記第１の真空配管から流入した水を貯留し、前記第２の真空配管へ該水が流入することを防止することを特徴とするスプリンクラ消火設備。
【請求項２】
排水時流入路選択手段は、前記第１の真空配管と前記第１のタンクの流入口とを接続する第１の流入管と、前記第１のタンクの排水口と前記第２のタンクの流入口とを接続する連結管と、該連結管に設けられ、非排水時には開状態となり、排水時には閉状態となる連結弁と、で構成され、
排水時排気路選択手段は、前記第２の真空配管と前記第１のタンクの排気口とを接続する第１の排気管と、前記第２の真空配管と前記第２のタンクの排気口とを接続する第２の排気管と、該第２の排気管に設けられ、非排水時には開状態となり、排水時には閉状態となる排気遮断弁と、で構成されていることを特徴とする請求項１に記載のスプリンクラ消火設備。
【請求項３】
排水時流入路選択手段は、前記第１の真空配管と前記第１のタンクの流入口とを接続する第１の流入管と、前記第１の真空配管と前記第２のタンクの流入口とを接続する第２の流入管と、前記第１の真空配管、前記第１の流入管及び前記第２の流入管に接続され、前記第１の真空配管と連通する流入管を切り替える切換弁と、前記第１のタンクの排水口と前記第２のタンクの排気口とを接続する連結管と、該連結管に設けられ、非排水時には開状態となり、排水時には閉状態となる連結弁と、で構成され、
排水時排気路選択手段は、前記第２の真空配管と前記第１のタンクの排気口とを接続する第１の排気管と、前記第２の真空配管と前記第２のタンクの排気口とを接続する第２の排気管と、該第２の排気管に設けられ、非排水時には開状態となり、排水時には閉状態となる排気遮断弁と、で構成されていることを特徴とする請求項１に記載のスプリンクラ消火設備。
【請求項４】
前記第２の真空配管と前記第１のタンクの排気口とは、第１の排気管を介して接続されており、
前記第１の排気管には、前記第２の真空配管から前記第１のタンクへ向かう空気の流れを規制する逆止弁が設けられていることを特徴とする請求項１〜請求項３のいずれか一項に記載のスプリンクラ消火設備。
【請求項５】
前記排水時流入路選択手段及び前記排水時排気路選択手段を構成する弁、前記吸気弁、並びに、前記排水弁は電動弁であり、
これら電動弁を制御する制御手段と、
前記第２のタンクに貯留された水の高さが予め設定された上限値以上となったことを検出する第１の水位検出手段と、
を備え、
前記制御手段は、
前記第２のタンクに貯留された水の高さが前記上限値以上となったことを前記第１の水位検出手段が検出すると、
前記電動弁を制御して、前記第２のタンクに貯留された水を自動的に排出することを特徴とする請求項１〜請求項４のいずれか一項に記載のスプリンクラ消火設備。
【請求項６】
加圧送水装置と、予作動弁と、該予作動弁の一次側に設けられて基端側に加圧送水装置が接続される一次側配管と、前記予作動弁の二次側に設けられてスプリンクラヘッドが接続される二次側配管と、該二次側配管内を常時は負圧にする真空ポンプと、前記二次側配管と前記真空ポンプとを接続する真空配管と、を備えるスプリンクラ消火設備において、前記二次側配管に接続された第１の真空配管と前記真空ポンプに接続された第２の真空配管との間であって、前記真空配管に介在するように設けられた気水分離排水装置であって、
耐圧外殻を有し、上端部に排気口が、下端部に排水口が、内部空間に流入口が、それぞれ設けられた２つのタンクを備え、
２つの前記タンクは、
少なくとも一方は、前記流入口が前記第１の真空配管と、前記排気口が前記第２の真空配管と、それぞれ連通を維持するように流路が制御され、
非排水時は、互いに連通するように制御され、
排水時は、排水する前記タンクを、他方の前記タンク、前記第１の真空配管及び前記第２の真空配管と遮断するとともに、排水する当該タンクの前記排気口を外気に開放して内部を大気圧とした後に、排水する当該タンクの前記排水口を開放して内部に貯留された水を排出するように制御され、
前記第１の真空配管から流入した水を貯留して前記第２の真空配管に水が入らないようにするとともに、貯留した水を排出することを特徴とする気水分離排水装置。